(57)【要約】【課題】ハンドルからセパレータへの動力の伝達を可能とするリンク部材の構造を簡素化することの可能な回路遮断器を提供する。【解決手段】回路遮断器１０は、セパレータ６０と、ハンドル７０と、リンク部材８０と、を備える。リンク部材は、ハンドル７０の操作力をセパレータ６０に伝達することによりセパレータ６０を変位させる。リンク部材８０は、板状の連結板８１と、第１連結ピン８２と、第２連結ピン８３と、を有する。第１連結ピン８２は、連結板８１の一端部に設けられ、アーム部８２０，８２１を有する。第２連結ピンは、連結板の他端部に設けられ、アーム部８３０，８３１を有する。ハンドル７０は、第１連結ピン８２のアーム部８２０，８２１が挿入される挿入部７２を有する。セパレータ６０は、第２連結ピン８３のアーム部８３０，８３１に接触している。【選択図】図４
2020004560.tif 000002
【特許請求の範囲】
【請求項１】
ハウジングの内部に収容された固定接触子及び可動接触子が接触及び離隔することにより電源側端子及び負荷側端子の間の電路を接続及び遮断することの可能な回路遮断器であって、
オン位置及びオフ位置に操作可能なハンドルと、
前記ハンドルがオフ位置に操作されているときに保持位置に位置することにより前記固定接触子から離隔した状態で前記可動接触子を保持する一方、前記ハンドルが前記オフ位置からオン位置に操作された際に前記保持位置から押圧位置に変位して前記可動接触子を押圧することにより前記固定接触子に接触させるセパレータと、
前記ハンドルの操作力を前記セパレータに伝達することにより前記セパレータを前記保持位置及び前記押圧位置に変位させるリンク部材と、を備え、
前記リンク部材は、
板状の連結板と、
前記連結板の一端部に設けられ、前記連結板の一側面から突出するように設けられる第１アーム部、及び前記第１アーム部と同軸上に配置されて前記連結板の他側面から突出するように設けられる第２アーム部を有する第１連結ピンと、
前記連結板の他端部に設けられ、前記連結板の一側面から突出するように設けられる第３アーム部、及び前記第３アーム部と同軸上に配置されて前記連結板の他側面から突出するように設けられる第４アーム部を有する第２連結ピンと、を有し、
前記ハンドルは、前記第１連結ピンの前記第１アーム部及び前記第２アーム部が挿入される挿入部を有し、
前記セパレータは、前記第２連結ピンの前記第３アーム部及び前記第４アーム部に接触している
回路遮断器。
【請求項２】
前記ハンドルは、前記挿入部を第１挿入部及び第２挿入部に分離するように設けられ、且つ前記連結板の一端部が挿入されるハンドル切欠き部を更に有し、
前記第１挿入部には、前記第１アーム部が回転可能に挿入され、
前記第２挿入部には、前記第２アーム部が回転可能に挿入されている
請求項１に記載の回路遮断器。
【請求項３】
前記セパレータは、前記連結板の他端部との干渉を回避するためのセパレータ切欠き部を有している
請求項１又は２に記載の回路遮断器。
【請求項４】
前記電路に過電流が流れた際に変位するラッチ片と、
前記ラッチ片の変位に基づいて変位するトリップアームと、を更に備え、
前記トリップアームは、
前記電路に過電流が流れていない場合、前記セパレータに近接して配置されることにより、前記第２連結ピンの移動を規制するとともに、
前記電路に過電流が流れた場合、前記ラッチ片の変位に基づいて前記セパレータから離間するように変位するとともに、当該変位によって前記第２連結ピンの移動の規制を解除することにより、前記リンク部材から前記セパレータに付与されている力を解除し、
前記リンク部材から前記セパレータに付与されている力が解除された際に、前記セパレータが前記押圧位置から前記保持位置に変位することにより、前記可動接触子が前記固定接触子から離隔し、
前記トリップアームは、前記連結板の他端部との干渉を回避するためのトリップアーム切欠き部を有している
請求項１〜３のいずれか一項に記載の回路遮断器。
【発明の詳細な説明】
【技術分野】
【０００１】
本開示は、回路遮断器に関する。
【背景技術】
【０００２】
従来の回路遮断器は、複数の固定接触子と、複数の固定接触子のそれぞれに対応して設けられる複数の可動接触子と、複数の可動接触子を保持するセパレータと、ユーザにより操作されるハンドルとを備えている。ハンドルは、リンク部材を介してセパレータに連結されている。より詳しくは、リンク部材の一端部は、ハンドルに連結されている。リンク部材の他端部は、セパレータに接触している。この回路遮断器では、ハンドルがオン位置に操作されると、その操作力がリンク部材を介してセパレータに付与されることにより、セパレータが第１位置から第２位置に変位して可動接触子を押圧する。これにより、可動接触子が固定接触子に接触して、回路遮断器がオン状態になる。また、ハンドルがオフ位置に操作された場合には、ハンドルからリンク部材を介してセパレータに付与されている操作力が解除されるため、セパレータが第２位置から第１位置に戻る。これにより、可動接触子が固定接触子から離隔して、回路遮断器がオフ状態になる。
【０００３】
一方、上記のリンク部材としては、例えば下記の特許文献１に記載のリンク部材がある。特許文献１に記載のリンク部材は、一対の板材と、一対の板材を所定の間隔を開けて連結する第１ピン及び第２ピンとを有している。第１ピンには、ハンドルが連結される。第２ピンは、セパレータに接触している。特許文献１に記載のリンク部材は、ハンドルの操作に基づいてリンク部材の第２ピンがセパレータを押圧する構造となっている。
【先行技術文献】
【特許文献】
【０００４】
【特許文献１】特開平９−１０２２６１号公報
【発明の概要】
【発明が解決しようとする課題】
【０００５】
ところで、特許文献１に記載されるようなリンク部材を用いた場合、一対の板材が必要となるため、材料歩留まりが悪化する可能性がある。また、一対の板材を第１ピン及び第２ピンにより連結する際に、各板材の平行度や、一対の板材の間に形成される幅の寸法等を管理する必要があるため、生産性が悪化したり、品質管理が煩雑になったりする等の弊害が生じる可能性がある。
【０００６】
本開示は、こうした実情に鑑みてなされたものであり、その目的は、ハンドルからセパレータへの動力の伝達を可能とするリンク部材の構造を簡素化することの可能な回路遮断器を提供することにある。
【課題を解決するための手段】
【０００７】
上記課題を解決する回路遮断器は、ハウジングの内部に収容された固定接触子及び可動接触子が接触及び離隔することにより電源側端子及び負荷側端子の間の電路を接続及び遮断することの可能な回路遮断器であって、ハンドルと、セパレータと、リンク部材と、を備える。ハンドルは、オン位置及びオフ位置に操作可能である。セパレータは、ハンドルがオフ位置に操作されているときに保持位置に位置することにより固定接触子から離隔した状態で可動接触子を保持する一方、ハンドルがオフ位置からオン位置に操作された際に保持位置から押圧位置に変位して可動接触子を押圧することにより固定接触子に接触させる。リンク部材は、ハンドルの操作力をセパレータに伝達することによりセパレータを保持位置及び押圧位置に変位させる。リンク部材は、板状の連結板と、第１連結ピンと、第２連結ピンと、を有する。第１連結ピンは、連結板の一端部に設けられ、連結板の一側面から突出するように設けられる第１アーム部、及び第１アーム部と同軸上に配置されて連結板の他側面から突出するように設けられる第２アーム部を有する。第２連結ピンは、連結板の他端部に設けられ、連結板の一側面から突出するように設けられる第３アーム部、及び第３アーム部と同軸上に配置されて連結板の他側面から突出するように設けられる第４アーム部を有する。ハンドルは、第１連結ピンの第１アーム部及び第２アーム部が挿入される挿入部を有する。セパレータは、第２連結ピンの第３アーム部及び第４アーム部に接触している。
【０００８】
この構成によれば、連結板の両端部に第１連結ピン及び第２連結ピンをそれぞれ設けた上で、第１連結ピンにハンドルを連結し、且つ第２連結ピンをセパレータに接触させれば、ハンドルからリンク部材を介してセパレータに動力を伝達することが可能となる。また、リンク部材の連結板として一枚の板材を用いるだけでよいため、従来の回路遮断器のように一対の板材を用いる必要がなくなる。よって、リンク部材の構造を簡素化することが可能となる。
【０００９】
上記の回路遮断器において、ハンドルは、挿入部を第１挿入部及び第２挿入部に分離するように設けられ、且つ連結板の一端部が挿入されるハンドル切欠き部を更に有し、第１挿入部には、第１アーム部が回転可能に挿入され、第２挿入部には、第２アーム部が回転可能に挿入されていることが好ましい。
【００１０】
この構成によれば、ハンドルに対してリンク部材を回転可能に支持することができる。
上記の回路遮断器において、セパレータは、連結板の他端部との干渉を回避するためのセパレータ切欠き部を有していることが好ましい。
【００１１】
この構成によれば、リンク部材の動作がセパレータにより阻害されることを回避できる。
上記の回路遮断器において、電路に過電流が流れた際に変位するラッチ片と、ラッチ片の変位に基づいて変位するトリップアームと、を更に備えることが好ましい。トリップアームは、電路に過電流が流れていない場合、セパレータに近接して配置されることにより、第２連結ピンの移動を規制するとともに、電路に過電流が流れた場合、ラッチ片の変位に基づいてセパレータから離間するように変位するとともに、当該変位によって第２連結ピンの移動の規制を解除することにより、リンク部材からセパレータに付与されている力を解除する。リンク部材からセパレータに付与されている力が解除された際に、セパレータが押圧位置から保持位置に変位することにより、可動接触子が固定接触子から離隔する。トリップアームは、連結板の他端部との干渉を回避するためのトリップアーム切欠き部を有している。
【００１２】
この構成によれば、リンク部材の動作がトリップアームにより阻害されることを回避できる。
【発明の効果】
【００１３】
本開示によれば、ハンドルからセパレータへの動力の伝達を可能とするリンク部材の構造を簡素化することの可能な回路遮断器を提供できる。
【図面の簡単な説明】
【００１４】
【図１】図１は、実施形態の回路遮断器の断面構造を示す断面図である。
【図２】図２は、実施形態の回路遮断器の動作例を示す断面図である。
【図３】図３は、実施形態のリンク部材の斜視構造を示す斜視図である。
【図４】図４は、実施形態の回路遮断器の部分的な斜視構造を示す斜視図である。
【発明を実施するための形態】
【００１５】
以下、回路遮断器の一実施形態について図面を参照しながら説明する。説明の理解を容易にするため、各図面において同一の構成要素に対しては可能な限り同一の符号を付して、重複する説明は省略する。
図１に示される本実施形態の回路遮断器１０は、単相三相式の電路等に配置される回路遮断器である。図１に示されるように、本実施形態の回路遮断器１０は、ハウジング２０の左側壁部２１において外部に露出するように設けられる電源側端子３１と、ハウジング２０の右側壁部２２において外部に露出するように設けられる負荷側端子４１とを備えている。なお、図１では、ハウジング２０の上蓋の図示が省略されている。電源側端子３１には電源側配線が接続される。負荷側端子４１には負荷側配線が接続される。回路遮断器１０は、電源側端子３１と負荷側端子４１とが電気的に接続されている状態と、それらの接続が遮断されている状態とを切り替えることにより、電源側配線と負荷側配線との電気的な接続状態を切り替えることの可能な装置である。
【００１６】
回路遮断器１０は、一端部に電源側端子３１が設けられる固定接触子３０と、一端部に負荷側端子４１が設けられる負荷側端子金具４０と、ハウジング２０の内部に設けられる可動接触子５０と、可動接触子５０を保持するセパレータ６０と、ハウジング２０の上蓋上面から突出するように設けられるハンドル７０とを備えている。
【００１７】
固定接触子３０は、導電性を有する金属部材からなる。固定接触子３０は、電源側端子３１からハウジング２０の内部に延びるように配置されており、ハウジング２０に固定されている。ハウジング２０の内部に延びる固定接触子３０の端部には、可動接触子５０の可動接点５１に対向するように固定接点３２が設けられている。
【００１８】
可動接触子５０は、導電性を有する平板状の金属部材からなる。可動接触子５０の先端部には、可動接点５１が設けられている。可動接触子５０は、その上面がセパレータ６０に形成された挿通孔６１の内壁面に当接するように配置されている。可動接触子５０の底面には、コイルばね５２の一端部が挿入される突出部５３が形成されている。コイルばね５２の他端部は、ハウジング２０の内部に形成された挿入部に挿入されている。コイルばね５２は、ハウジング２０の挿入部と可動接触子５０との間に圧縮された状態で挿入されている。コイルばね５２は、可動接触子５０をセパレータ６０の内壁面に対して押圧している。これにより、可動接触子５０は、セパレータ６０の内壁面に当接した状態で保持されている。
【００１９】
可動接触子５０は、図示しない配線を通じて電磁コイル９１の下端部に電気的に接続されている。電磁コイル９１の上端部には、負荷側端子金具４０の一端部が電気的に接続されている。すなわち、可動接触子５０は、電磁コイル９１を介して負荷側端子金具４０に電気的に接続されている。
【００２０】
ハンドル７０には、ハウジング２０に固定される回転軸７１が形成されている。ハンドル７０は、回転軸７１を中心に、図１に示されるオフ位置と、図２に示されるオン位置とに揺動可能に支持されている。すなわち、ハンドル７０は、図１に示されるオフ位置と、図２に示されるオン位置とに操作可能である。ハウジング２０の内部に挿入されるハンドル７０の一端部には、円筒状の挿入部７２が形成されている。挿入部７２には、リンク部材８０が連結されている。
【００２１】
具体的には、図３に示されるように、リンク部材８０は、一枚板からなる平板状の連結板８１と、連結板８１の一端部に設けられる第１連結ピン８２と、連結板８１の他端部に設けられる第２連結ピン８３とを有している。
第１連結ピン８２は、軸線ｍ１を中心に円柱状に形成されており、連結板８１の一端部に形成された貫通孔８１０に挿通されている。このような構造からなる第１連結ピン８２は、連結板８１の一側面から突出するように設けられるアーム部８２０と、アーム部８２０と同軸上に配置されて連結板８１の他側面から突出するように設けられるアーム部８２１とを有している。本実施形態では、アーム部８２０が第１アーム部に相当し、アーム部８２１が第２アーム部に相当する。
【００２２】
第２連結ピン８３は、軸線ｍ２を中心に円柱状に形成されており、連結板８１の他端部に形成された貫通孔８１１に挿通されている。このような構造からなる第２連結ピン８３は、連結板８１の一側面から突出するように設けられるアーム部８３０と、アーム部８３０と同軸上に配置されて連結板８１の他側面から突出するように設けられるアーム部８３１とを有している。本実施形態では、アーム部８３０が第３アーム部に相当し、アーム部８３１が第４アーム部に相当する。
【００２３】
図４に示されるように、挿入部７２の軸方向の中央部分には、連結板８１の一端部が挿入される切欠き部７３が形成されている。本実施形態では、切欠き部７３が、ハンドル切欠き部に相当する。切欠き部７３により、挿入部７２は、第１挿入部７２０及び第２挿入部７２１に分離されている。第１挿入部７２０には、リンク部材８０のアーム部８２０が回転可能に挿入されている。第２挿入部７２１には、リンク部材８０のアーム部８２１が回転可能に挿入されている。このような挿入部７２とリンク部材８０の第１連結ピン８２との連結により、リンク部材８０の一端部がハンドル７０に対して回転可能に連結されている。
【００２４】
第１連結ピン８２の一端部は、フレーム１２０に形成された案内溝１２１に挿入されている。フレーム１２０は、ハウジング２０に固定されている。案内溝１２１は、ハンドル７０の揺動に伴ってリンク部材８０が変位する際に、第１連結ピン８２の移動を案内する。
図１に示されるように、リンク部材８０の他端部に設けられる第２連結ピン８３は、セパレータ６０の上方の一端面６２に接触している。より詳しくは、図４に示されるように、第２連結ピン８３のアーム部８３０，８３１がセパレータ６０の一端面６２に接触している。リンク部材８０は、第１連結ピン８２を介してハンドル７０から伝達される操作力をセパレータ６０に第２連結ピン８３を介して伝達することにより、セパレータ６０を、図１に示される保持位置から、図２に示される押圧位置に変位させる。
【００２５】
セパレータ６０は、樹脂等の絶縁性を有する材料により形成されている。図４に示されるように、セパレータ６０は、略直方体状に形成されている。セパレータ６０には、可動接触子５０が挿通される挿通孔６１が形成されている。図１に示されるように、セパレータ６０においてリンク部材８０の第２連結ピン８３が接触する一端面６２には、第２連結ピン８３が挿入される挿入部６３が形成されている。挿入部６３は、セパレータ６０の一端面６２に直交する断面形状が略凹字状をなすように形成されている。
【００２６】
なお、図４に示されるように、セパレータ６０のＸ１方向の側壁部６４には、リンク部材８０の連結板８１との干渉を回避するための切欠き部６６が形成されている。本実施形態では、切欠き部６６がセパレータ切欠き部に相当する。
図１に示されるように、セパレータ６０のＸ２方向の側壁部６５には、トリップアーム１１０が近接して配置されている。トリップアーム１１０は、セパレータ６０の挿入部６３のＸ２方向側の開口部分を閉塞するように配置されている。このトリップアーム１１０にリンク部材８０の第２連結ピン８３が接触することにより、セパレータ６０の挿入部６３から第２連結ピン８３が脱落しないようになっている。すなわち、トリップアーム１１０は第２連結ピン８３の移動を規制している。トリップアーム１１０は、ハンドル７０の回転軸７１に連結されており、回転軸７１を中心に回転可能に支持されている。図４に示されるように、トリップアーム１１０には、リンク部材８０の連結板８１との干渉を回避するための切欠き部１１１が形成されている。本実施形態では、切欠き部１１１がトリップアーム切欠き部に相当する。
【００２７】
この回路遮断器１０では、ハンドル７０が図１に示されるオフ位置から図２に示されるオン位置に向かって操作されると、ハンドル７０の操作力がリンク部材８０を介してセパレータ６０の一端面６２に付与されることにより、セパレータ６０が下方に変位する。このセパレータ６０の変位により可動接触子５０が下方に押圧される。そして、ハンドルが図２に示されるオン位置まで操作されると、ハンドル７０、リンク部材８０、及びセパレータ６０が図２に示される位置に保持される。これにより、可動接触子５０の可動接点５１が固定接触子３０の固定接点３２に接触した状態に保持される。すなわち、電源側端子３１及び負荷側端子４１の間の電路が接続された状態となる。また、コイルばね５２から可動接触子５０に付与される付勢力により、可動接触子５０の可動接点５１と固定接触子３０の固定接点３２との接点圧力が確保される。すなわち、コイルばね５２は接点圧ばねとして機能する。
【００２８】
また、ハンドルが図２に示されるオン位置から図１に示されるオフ位置に操作されると、ハンドル７０が図１に示される位置に戻る。この際、可動接触子５０、セパレータ６０、及びリンク部材８０がコイルばね５２の付勢力によって図１に示される位置に戻る。これにより、可動接触子５０の可動接点５１が固定接触子３０の固定接点３２から離隔するため、電源側端子３１及び負荷側端子４１の間の電路が遮断された状態になる。
【００２９】
図１に示されるように、回路遮断器１０は、ハウジング２０の内部に収容される磁気式引き外し装置９０を更に備えている。磁気式引き外し装置９０は、ハンドル７０がオン位置に操作されている状況で回路遮断器１０に過電流が流れた際に可動接触子５０を固定接触子３０から離隔させることにより、電源側端子３１及び負荷側端子４１の間の電路を遮断する、いわゆるトリップ動作を行う装置である。磁気式引き外し装置９０は、電磁コイル９１と、可動磁気片９２と、オイルダッシュポット９３と、継鉄９４とを備えている。
【００３０】
電磁コイル９１は、オイルダッシュポット９３の外周に配置されている。電磁コイル９１は、自身を流れる電流、すなわち可動接触子５０から負荷側端子４１に向かって流れる電流に基づいて磁気を形成する。
可動磁気片９２は、「へ」の字状に形成されている。可動磁気片９２の一辺９２０はオイルダッシュポット９３の上面９３０に対向している。可動磁気片９２の他辺９２１はラッチ片１００に対向している。可動磁気片９２は、一辺９２０と他辺９２１との接続部分である角部９２２において回動可能に支持されている。また、可動磁気片９２は、図示しないコイルばねから付与される付勢力により、図１に示される位置で、すなわち一辺９２０がオイルダッシュポット９３の上面９３０から離間し、且つ他辺９２１がラッチ片１００から離間している位置で保持されている。
【００３１】
継鉄９４は、略Ｌ字状に形成されている。継鉄９４の一端部にはオイルダッシュポット９３が固定して取り付けられている。継鉄９４の他端部は、ハウジング２０に固定されている。すなわち、オイルダッシュポット９３は、継鉄９４を介してハウジング２０に固定されている。
【００３２】
ラッチ片１００は、略Ｌ字状に形成されている。ラッチ片１００の角部には、ハウジング２０に固定される回転軸１０２が設けられている。ラッチ片１００は、この回転軸１０２を中心として回転可能に支持されている。ラッチ片１００の一端部には、円柱状の係合部１０１が形成されている。ラッチ片１００の他端部は、トリップアーム１１０に接触している。
【００３３】
磁気式引き外し装置９０は、図２に示されるように回路遮断器１０がオン状態であるときに、負荷側端子４１からの電力の供給対象である負荷が過負荷状態となったり、負荷側端子４１に接続されている配線が短絡したりすることにより過電流が発生した場合にトリップ動作を行う。
【００３４】
具体的には、負荷側端子４１からの電力の供給対象である負荷が過負荷状態となったり、負荷側端子４１に接続されている配線が短絡したりした場合、電磁コイル９１に過電流が流れる。電磁コイル９１に過電流が流れると、電磁コイル９１により形成されている磁界が強くなる。これにより、オイルダッシュポット９３内に収容されている鉄心が時間の経過に伴って下方から上方に移動し、電磁コイル９１により形成される磁界が更に強くなる。このような磁界の変化により、オイルダッシュポット９３の上面９３０に発生している磁力が強くなるため、可動磁気片９２の一辺９２０がオイルダッシュポット９３の上面９３０に向かって吸引される。これにより、可動磁気片９２が角部９２２を中心に回動する。可動磁気片９２の一辺９２０がオイルダッシュポット９３の上面９３０に接触する位置まで可動磁気片９２が回動すると、可動磁気片９２の他辺９２１がラッチ片１００の係合部１０１を押圧する。これによりラッチ片１００が回転軸１０２を中心に矢印Ｃで示される方向に回動すると、ラッチ片１００が、回転軸７１を中心に、トリップアーム１１０から離間する方向に回動する。そのため、トリップアーム１１０がセパレータ６０の側壁部６５から離間して、セパレータ６０の側壁部６５とトリップアーム１１０との間に隙間が形成される。この隙間に第２連結ピン８３が移動することにより、リンク部材８０からセパレータ６０に付与されている力が解除され、コイルばね５２の付勢力によりセパレータ６０が上方に、すなわち押圧位置から保持位置に向かって変位する。これにより、可動接触子５０の可動接点５１が固定接触子３０の固定接点３２から離隔するため、ハンドル７０がオン位置に操作されている状況であっても、電源側端子３１及び負荷側端子４１の間の電路が遮断される。
【００３５】
以上説明した本実施形態の回路遮断器１０によれば、以下の（１）〜（５）に示される作用及び効果を得ることができる。
（１）リンク部材８０は、板状の連結板８１と、連結板８１の一端部に設けられる第１連結ピン８２と、連結板８１の他端部に設けられる第２連結ピン８３とを有する。ハンドル７０は、第１連結ピン８２のアーム部８２０，８２１が挿入される挿入部７２を有する。セパレータ６０は、第２連結ピン８３のアーム部８３０，８３１に接触している。このような構成によれば、ハンドル７０からリンク部材８０を介してセパレータ６０に動力を伝達することが可能となる。また、リンク部材８０の連結板８１として一枚の板材を用いるだけでよいため、従来のリンク部材のように一対の板材を用いる必要がない。よって、リンク部材８０の構造を簡素化することができるとともに、リンク部材８０の材料歩留まりを改善することができる。また、部品コストや製造コストを減少させることもできる。
【００３６】
（２）従来のリンク部材のように一対の板材を用いる場合、それらの平行度や幅寸法の管理が必要となる。これが回路遮断器の生産性の悪化や品質検査の煩雑化を招いている。この点、本実施形態の回路遮断器１０では、リンク部材８０の連結板８１が一枚の板材により構成されているため、平行度や幅寸法の管理が必要ない。そのため、生産性を向上させることができるとともに、品質検査を簡素化することができる。
【００３７】
（３）ハンドル７０は、挿入部７２を第１挿入部７２０及び第２挿入部７２１に分離するように設けられる切欠き部７３を有する。切欠き部７３には、連結板８１の一端部が挿入されている。第１挿入部７２０には、リンク部材８０のアーム部８２０が回転可能に挿入されている。第２挿入部７２１には、リンク部材８０のアーム部８２１が回転可能に挿入されている。このような構成によれば、ハンドル７０に対してリンク部材８０を回転可能に支持することができる。
【００３８】
（４）セパレータ６０は、連結板８１の他端部との干渉を回避するための切欠き部６６を有している。これにより、リンク部材８０の動作がセパレータ６０により阻害されることを回避できる。
（５）トリップアーム１１０は、連結板８１の他端部との干渉を回避するための切欠き部１１１を有している。これにより、リンク部材８０の動作がトリップアーム１１０により阻害されることを回避できる。
【００３９】
なお、上記実施形態は、以下の形態にて実施することもできる。
・セパレータ６０やハンドル７０、トリップアーム１１０の形状は適宜変更可能である。
・本開示は上記の具体例に限定されるものではない。上記の具体例に、当業者が適宜設計変更を加えたものも、本開示の特徴を備えている限り、本開示の範囲に包含される。前述した各具体例が備える各要素、及びその配置、条件、形状等は、例示したものに限定されるわけではなく適宜変更することができる。前述した各具体例が備える各要素は、技術的な矛盾が生じない限り、適宜組み合わせを変えることができる。
【符号の説明】
【００４０】
１０：回路遮断器
２０：ハウジング
３０：固定接触子
３１：電源側端子
４１：負荷側端子
５０：可動接触子
６０：セパレータ
６６：切欠き部（セパレータ切欠き部）
７０：ハンドル
７２：挿入部
７３：切欠き部（ハンドル切欠き部）
８０：リンク部材
８１：連結板
８２：第１連結ピン
８３：第２連結ピン
１００：ラッチ片
１１０：トリップアーム
１１１：切欠き部（トリップアーム切欠き部）
８２０：アーム部（第１アーム部）
８２１：アーム部（第２アーム部）
８３０：アーム部（第３アーム部）
８３１：アーム部（第４アーム部）
【図１】
2020004560.tif 000003
【図２】
2020004560.tif 000004
【図３】
2020004560.tif 000005
【図４】
2020004560.tif 000006